(57)【要約】【課題】使い勝手がよい映像表示端末保持具を提供する。【解決手段】保持具１の端末保持箱３０の囲壁５０は、端末−レンズ間隔が最短の状態で、手前側端部がレンズ枠２０よりも手前側に位置する長壁部５１と、手前側端部がレンズ枠２０よりも奥側に位置する短壁部５２とを備える。【選択図】図２
2017195474.tif 000002
【特許請求の範囲】
【請求項１】
筒部と、
前記筒部の観察側である手前側の部分に取り付けられ、レンズを保持するレンズ枠と
映像表示端末を保持し、手前側に開口を有し奥側に奥板を有する箱状であり、前記筒部の内周面と前記奥板から立ち上がある囲壁の外周面とが摺接しながら前記筒部に対して移動することにより映像表示端末及びレンズの間隔である端末−レンズ間隔を調整可能な端末保持箱と、
を備える映像表示端末保持具であって、
前記端末保持箱の前記囲壁は、
端末−レンズ間隔が最短の状態で、
手前側端部が前記レンズ枠よりも手前側に位置する長壁部と、
手前側端部が前記レンズ枠よりも奥側に位置する短壁部とを備えること、
を特徴とする映像表示端末保持具。
【請求項２】
請求項１に記載の映像表示端末保持具において、
前記端末保持箱の前記長壁部の手前側端部は、端末−レンズ間隔が最長の状態で、前記レンズ枠よりも奥側に位置すること、
を特徴とする映像表示端末保持具。
【請求項３】
請求項１又は請求項２に記載の映像表示端末保持具において、
前記端末保持箱の前記短壁部の手前側端部は、端末−レンズ間隔が最短の状態で、前記レンズ枠に当接すること、
を特徴とする映像表示端末保持具。
【請求項４】
請求項１から請求項３のいずれかに記載の映像表示端末保持具において、
前記筒部の上壁部を形成する上板の手前側端部の形状と、前記筒部の下壁部を形成する下板の手前側端部の形状とは、左右方向外側に至る程、手前側に至る形状であり、
前記端末保持箱の前記長壁部の手前側端部の形状は、端末−レンズ間隔が最短の状態で、前記筒部の上板の手前側端部の形状と、前記筒部の下板の手前側端部の形状とに対応した形状であること、
を特徴とする映像表示端末保持具。
【請求項５】
筒部と、
前記筒部の観察側である手前側の部分に取り付けられたレンズと、
映像表示端末を保持し、手前側に開口を有し奥側に奥板を有する箱状であり、前記筒部の内周面と前記奥板から立ち上がある囲壁の外周面とが摺接しながら前記筒部に対して移動することにより映像表示端末及びレンズの間隔である端末−レンズ間隔を調整可能な端末保持箱と、
を備える映像表示端末保持具であって、
前記端末保持箱の前記囲壁は、下壁部及び上壁部の一方を形成する第１板部と、下壁部及び上壁部の他方を形成する第２板部と、左右の壁部をそれぞれ形成する２つの側板とを備え、
前記第１板部は、
前記奥板の下辺部に回転可能に接続され、
前記第２板部は、
前記奥板の上辺部に回転可能に接続され、
左右辺部に回転可能に接続されたフラップを備え、
各側板は、
前記奥板の左右辺部に回転可能に接続され、前記第１板部の左右辺部に回転可能に接続され、
奥辺部及び下辺部がなす角の二等分線上に設けられた折部を備え、
前記端末保持箱は、
箱状の状態及び平板状の状態で変形可能であり、
箱状の状態では、
前記囲壁の各板部は、前記奥板に対して立ち上がり、
各側板は、前記折部回りに開いた状態であり、
前記第２板部のフラップは、前記側板の外面に覆いかぶさるように回転した状態であり、
平板状の状態では、
前記第２板部は、前記奥板に対して開いた状態、又は折られて閉じた状態であり、
前記第１板部は、前記奥板に対して折られて閉じた状態であり、
各側板は、
前記折部回りに折られて閉じた状態であり、
前記第１板部及び前記奥板に対して開いた状態であり、
前記第２板部のフラップは、前記第２板部に対して開いた状態、又は折られて閉じた状態であること、
を特徴とする映像表示端末保持具。
【請求項６】
請求項５に記載の映像表示端末保持具において、
前記端末保持箱は、前記奥板の内側面に、映像表示端末を保持する保持部を備えること、
を特徴とする映像表示端末保持具。
【請求項７】
筒部と、
映像表示端末を保持し、観察側である手前側に開口を有し奥側に奥板を有する箱状であり、前記筒部の内周面と前記奥板から立ち上がある囲壁の外周面とが摺接することにより前記筒部に対して移動可能な端末保持箱と、
を備える映像表示端末保持具であって、
前記端末保持箱は、
前記奥板の内側面に、映像表示端末を保持する保持部と、
映像表示端末に接続されたケーブルが挿通し、保持部に保持された映像表示端末を指を挿通して操作可能な操作穴とを備えること、
を特徴とする映像表示端末保持具。
【請求項８】
請求項７に記載の映像表示端末保持具において、
前記筒部は、前記操作穴を露出させる露出穴を備えること、
を特徴とする映像表示端末保持具。
【請求項９】
筒部と、
レンズを保持するレンズ枠と、
映像表示端末を保持し、観察側である手前側に開口を有し奥側に奥板を有する箱状であり、前記筒部の内周面と前記奥板から立ち上がある囲壁の外周面とが摺接することにより前記筒部に対して移動可能な端末保持箱と、
を備える映像表示端末保持具であって、
前記レンズ枠は、
一組の対向辺の各辺部から外側に突出する突出部を備え、
前記筒部は、前記筒部の一組の対向壁を形成する各壁部にそれぞれ設けられた切り欠き又は穴であり、前記突出部が挿入される挿入部を備え、
前記レンズ枠は、前記突出部が前記挿入部に対して挿抜されることにより、前記筒部に対して着脱可能であること、
を特徴とする映像表示端末保持具。
【請求項１０】
請求項９に記載の映像表示端末保持具において、
前記筒部の形状は、手前側から見た状態で、複数の板部が各コーナ部のヒンジで接続された多角形であり、
前記筒部は、
複数の板部がヒンジで回転することにより、筒状の状態及び平板状の状態で変形可能であり、
前記レンズ枠の前記突出部は、前記筒部が筒状の状態において、一組の対向する板部の前記挿入部に対して挿入されることにより、一組の対向する板部を左右方向に移動しないように規制すること、
を特徴とする映像表示端末保持具。
【請求項１１】
請求項９又は第１０に記載の映像表示端末保持具において、
前記レンズ枠は、
１つのレンズを備える単レンズ枠と、
２つのレンズを備える双眼レンズ枠とを備え、
前記単レンズ枠、前記双眼レンズ枠は、
それぞれ前記突出部を備え、
前記突出部が前記挿入部に対して挿抜されることにより、前記筒部に対して交換可能に装着されること、
を特徴とする映像表示端末保持具。
【発明の詳細な説明】
【技術分野】
【０００１】
本発明は、映像表示端末を保持する映像表示端末保持具に関するものである。
【背景技術】
【０００２】
従来、バーチャルリアリティ（ＶＲ）、オーグメンテッドリアリティ（ＡＲ）等を体験できる箱型の映像表示端末保持具があった（例えば非特許文献１）。
しかし、従来の映像表示端末保持具は、使い勝手が悪かった。
【先行技術文献】
【非特許文献】
【０００３】
【非特許文献１】“ルクラスダブル（２眼）スペック情報”、［ｏｎｌｉｎｅ］、［平成２８年４月１５日検索］、インターネット＜ＵＲＬ：ｈｔｔｐ：／／ｖｒｉｎｓｉｄｅ．ｊｐ／ｒｕｋｕｒａｓｕ２／＞
【発明の概要】
【発明が解決しようとする課題】
【０００４】
本発明の課題は、使い勝手がよい映像表示端末保持具を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、筒部（１０）と、前記筒部の観察側である手前側の部分に取り付けられ、レンズを保持するレンズ枠（２０，１２０）と映像表示端末（５）を保持し、手前側に開口を有し奥側に奥板（４０）を有する箱状であり、前記筒部の内周面と前記奥板から立ち上がある囲壁（５０）の外周面とが摺接しながら前記筒部に対して移動することにより映像表示端末及びレンズの間隔である端末−レンズ間隔を調整可能な端末保持箱（３０）と、を備える映像表示端末保持具であって、前記端末保持箱の前記囲壁は、端末−レンズ間隔が最短の状態で、手前側端部が前記レンズ枠よりも手前側に位置する長壁部（５１）と、手前側端部が前記レンズ枠よりも奥側に位置する短壁部（５２）とを備えること、を特徴とする映像表示端末保持具である。
・第２の発明は、第１の発明の映像表示端末保持具において、前記端末保持箱（３０）の前記長壁部（５１）の手前側端部は、端末−レンズ間隔が最長の状態で、前記レンズ枠（２０，１２０）よりも奥側に位置すること、を特徴とする映像表示端末保持具である。
・第３の発明は、第１又は第２の発明の映像表示端末保持具において、前記端末保持箱（３０）の前記短壁部（５２）の手前側端部は、端末−レンズ間隔が最短の状態で、前記レンズ枠（２０，１２０）に当接すること、を特徴とする映像表示端末保持具である。
・第４の発明は、第１から第３のいずれかの発明の映像表示端末保持具において、前記筒部（１０）の上壁部を形成する上板（１２）の手前側端部（１２ａ）の形状と、前記筒部の下壁部を形成する下板（１１）の手前側端部（１１ａ）の形状とは、左右方向外側に至る程、手前側に至る形状であり、前記端末保持箱（３０）の前記長壁部（５１）の手前側端部（５１ａ）の形状は、端末−レンズ間隔が最短の状態で、前記筒部の上板の手前側端部の形状と、前記筒部の下板の手前側端部の形状とに対応した形状であること、を特徴とする映像表示端末保持具である。
・第５の発明は、筒部（１０）と、前記筒部の観察側である手前側の部分に取り付けられたレンズと、映像表示端末を保持し、手前側に開口を有し奥側に奥板（４０）を有する箱状であり、前記筒部の内周面と前記奥板から立ち上がある囲壁（５０）の外周面とが摺接しながら前記筒部に対して移動することにより映像表示端末及びレンズの間隔である端末−レンズ間隔を調整可能な端末保持箱（３０）と、を備える映像表示端末保持具であって、前記端末保持箱の前記囲壁は、下壁部及び上壁部の一方を形成する第１板部と、下壁部及び上壁部の他方を形成する第２板部と、左右の壁部をそれぞれ形成する２つの側板（４３，４４）とを備え、前記第１板部は、前記奥板の下辺部に回転可能に接続され、前記第２板部は、前記奥板の上辺部に回転可能に接続され、左右辺部に回転可能に接続されたフラップ（４５）を備え、各側板は、前記奥板の左右辺部に回転可能に接続され、前記第１板部の左右辺部に回転可能に接続され、奥辺部及び下辺部がなす角の二等分線上に設けられた折部を備え、前記端末保持箱は、箱状の状態及び平板状の状態で変形可能であり、箱状の状態では、前記囲壁の各板部は、前記奥板に対して立ち上がり、各側板は、前記折部回りに開いた状態であり、前記第２板部のフラップは、前記側板の外面に覆いかぶさるように回転した状態であり、平板状の状態では、前記第２板部は、前記奥板に対して開いた状態、又は折られて閉じた状態であり、前記第１板部は、前記奥板に対して折られて閉じた状態であり、各側板は、前記折部回りに折られて閉じた状態であり、前記第１板部及び前記奥板に対して開いた状態であり、前記第２板部のフラップは、前記第２板部に対して開いた状態、又は折られて閉じた状態であること、を特徴とする映像表示端末保持具である。
・第６の発明は、第５の発明の映像表示端末保持具において、前記端末保持箱（３０）は、前記奥板（４０）の内側面に、映像表示端末を保持する保持部を備えること、を特徴とする映像表示端末保持具である。
・第７の発明は、筒部（１０）と、映像表示端末を保持し、観察側である手前側に開口を有し奥側に奥板（４０）を有する箱状であり、前記筒部の内周面と前記奥板から立ち上がある囲壁（５０）の外周面とが摺接することにより前記筒部に対して移動可能な端末保持箱（３０）と、を備える映像表示端末保持具であって、前記端末保持箱は、前記奥板の内側面に、映像表示端末を保持する保持部（４７）と、映像表示端末に接続されたケーブルが挿通し、保持部に保持された映像表示端末を指を挿通して操作可能な操作穴（４８）とを備えること、を特徴とする映像表示端末保持具である。
・第８の発明は、第７の発明の映像表示端末保持具において、前記筒部（１０）は、前記操作穴（４８）を露出させる露出穴（１８）を備えること、を特徴とする映像表示端末保持具である。
・第９の発明は、筒部（１０）と、レンズを保持するレンズ枠（２０，１２０）と、映像表示端末を保持し、観察側である手前側に開口を有し奥側に奥板（４０）を有する箱状であり、前記筒部の内周面と前記奥板から立ち上がある囲壁（５０）の外周面とが摺接することにより前記筒部に対して移動可能な端末保持箱（３０）と、を備える映像表示端末保持具であって、前記レンズ枠は、一組の対向辺の各辺部から外側に突出する突出部（２６ａ）を備え、前記筒部は、前記筒部の一組の対向壁を形成する各壁部にそれぞれ設けられた切り欠き又は穴であり、前記突出部が挿入される挿入部（１６ａ）を備え、前記レンズ枠は、前記突出部が前記挿入部に対して挿抜されることにより、前記筒部に対して着脱可能であること、を特徴とする映像表示端末保持具である。
・第１０の発明は、第９の発明の映像表示端末保持具において、前記筒部（１０）の形状は、手前側から見た状態で、複数の板部が各コーナ部のヒンジで接続された多角形であり、前記筒部は、複数の板部がヒンジで回転することにより、筒状の状態及び平板状の状態で変形可能であり、前記レンズ枠（２０，１２０）の前記突出部は、前記筒部が筒状の状態において、一組の対向する板部の前記挿入部に対して挿入されることにより、一組の対向する板部を左右方向に移動しないように規制すること、を特徴とする映像表示端末保持具である。
・第１１の発明は、第９又は第１０の発明の映像表示端末保持具において、前記レンズ枠は、１つのレンズ（２０ａ）備える単レンズ枠（２０）と、２つのレンズ（１２０ａ）を備える双眼レンズ枠（２０）とを備え、前記単レンズ枠、前記双眼レンズ枠は、それぞれ前記突出部（２６ａ）を備え、前記突出部（２６ａ）が前記挿入部（１６ａ）に対して挿抜されることにより、前記筒部（１０）に対して交換可能に装着されること、を特徴とする映像表示端末保持具である。
【発明の効果】
【０００７】
本発明によれば、使い勝手がよい映像表示端末保持具を提供できる。
【図面の簡単な説明】
【０００８】
【図１】第１実施形態の保持具１の斜視図である。
【図２】第１実施形態の保持具１の分解斜視図である。
【図３】第１実施形態の保持具１を、上側Ｚ２から見た断面図である。
【図４】第１実施形態の保持具１を、手前側Ｙ１から見た断面図である。
【図５】第１実施形態の筒部１０の形態が変形する態様を説明する斜視図である。
【図６】第１実施形態の端末保持箱３０の形態が変形する態様を説明する斜視図である。
【図７】第１実施形態の保持具１を作製するための部品の一例を説明する図である。
【図８】第１実施形態の双眼レンズ枠１２０を説明する図である。
【図９】第２実施形態の保持具２０１を説明する図である。
【発明を実施するための形態】
【０００９】
（第１実施形態）
以下、図面等を参照して、本発明の第１実施形態について説明する。
図１は、第１実施形態の保持具１の斜視図である。
図１（Ａ）は、端末−レンズ間隔が最短の状態である。
図１（Ｂ）は、端末−レンズ間隔が最長の状態である。
図１は、筒部１０の右側Ｘ２の側板１４の一部を破断して図示した。
図２は、第１実施形態の保持具１の分解斜視図である。
斜視図では、便宜上、各板の厚みを省略して図示した。
【００１０】
実施形態、図面では、説明と理解を容易にするために、ＸＹＺ直交座標系を設けた。この座標系は、保持具１を正配置した状態において、奥行方向Ｙ（手前側Ｙ１、奥側Ｙ２）、左右方向Ｘ（左側Ｘ１、右側Ｘ２）、鉛直方向Ｚ（下側Ｚ１、上側Ｚ２）を表す。
保持具１の正位置とは、保持具１の通常の使用状態の配置である。つまり、保持具１を正配置した状態とは、利用者が観察方向（つまりレンズ２０ａの光軸の方向）を保持具１の奥行方向Ｙに平行にし、かつ、保持具１の外形（長方形）の長手方向を左右方向Ｘに平行にした状態である。奥行方向Ｙ、左右方向Ｘは、水平方向の軸である。奥行方向Ｙの手前側Ｙ１は、利用者の観察側であり、また、奥側Ｙ２は、端末５が保持される方向（端末５側）である。
実施形態では、保持具１の構成を明確に説明するために、この座標系を用いるが、利用者は、保持具１を正配置した状態から、例えば、上下に傾けて利用することもできる。
【００１１】
保持具１（映像表示端末保持具）は、ＶＲ（バーチャルリアリティ）用の映像を表示する端末５（映像表示端末）を保持するものである。利用者は、端末５の映像を、保持具１の手前側Ｙ１からレンズ２０ａを通して観察することにより、ＶＲを体感できる。
端末５の種類は、ＶＲ用の映像を表示する表示部５ａを備えるものであればよく、限定されない。端末５は、例えば、多機能携帯電話機、タブレット型のコンピュータを用いる。
保持具１は、板材を加工することにより、作製できる（図７参照）。板材は、例えば、紙材（段ボール、コート紙等）、樹脂シート等を用いる。
【００１２】
図１に示すように、保持具１は、筒部１０、レンズ枠２０、端末保持箱３０を備える。
端末保持箱３０は、筒部１０に対して奥行方向Ｙに移動可能である。利用者は、映像を観察しやすくするために、適切な端末５及びレンズ２０ａ間の長さ（以下「端末−レンズ間隔」ともいう）に調整できる。適切な端末−レンズ間隔は、利用者の視力等によって、利用者毎に異なる。
【００１３】
［保持具１の構成］
（筒部１０）
筒部１０は、奥行方向Ｙに開口を有する筒状の部材である。筒部１０を手前側Ｙ１から見た形状は、左右方向Ｘに細長い長方形である。
筒部１０は、下板１１、上板１２、左側Ｘ１の側板１３、右側Ｘ２の側板１４、装着部１６、露出穴１８、鼻避１９を備える。
下板１１、上板１２、側板１３、側板１４は、それぞれ筒部１０の下壁部、上壁部、左壁部、右壁部を形成する板部である。
各板部間は、以下のように、ヒンジによって、ヒンジの回転軸回りに回転可能に接続される。なお、以下の説明では、隣合う板部がヒンジの回転軸回りに回転することを、単に、「ヒンジ回りに回転」ともいう。
下板１１及び側板１３，１４は、ヒンジＨ１３ａ，Ｈ１４ａによって接続されている。
上板１２及び側板１３，１４は、ヒンジＨ１３ｂ，Ｈ１４ｂによって接続されている。
このように、筒部１０は、断面形状が長方形の筒体であり、また、長方形の各コーナ部には、ヒンジが配置される。
なお、ヒンジは、板材に、押罫、ミシン目等を加工することにより形成できる。後述する端末保持箱３０のヒンジも同様である。
【００１４】
下板１１の前辺部１１ａ（手前側Ｙ１端部）の形状は、利用者の顔の形状に対応した形状である。つまり、下板１１の前辺部１１ａの形状は、左右方向Ｘ外側に至る程、手前側Ｙ１に至る曲線状である。
上板１２も、同様な形状であり、また、曲線状の前辺部１２ａを備える。
【００１５】
側板１３，１４を左右方向Ｘから見た形状は、奥行方向Ｙに細長いほぼ長方形である。
側板１３，１４の前側部分（半円状の部分）は、手前側Ｙ１に突出している。このため、使用時において、左側Ｘ１の側板１３，１４は、利用者の顔の側面を大きく覆う。これにより、側板１３，１４は、保持具１の内部に入り込む外光を、少なくできる。
【００１６】
装着部１６は、レンズ枠２０を着脱可能に装着する部分である。
装着部１６は、下板１１、上板１２（つまり、筒部１０の一組の対向壁を形成する各壁部）にそれぞれ設けられている。
【００１７】
以下、下板１１の装着部１６の形状について説明する。上板１２の装着部１６の形状は、下板１１の装着部１６の形状と同様である。
装着部１６は、下板１１の前辺部に設けられている。
装着部１６は、切り欠き１６ａ（挿入部）、突起１６ｂを備える。
切り欠き１６ａは、下板１１の前辺部を、左右方向Ｘに細長い長方形で、奥側Ｙ２に向けて切り欠いた形状である。この長方形は、レンズ枠２０の突出部２６ａ（後述する）の形状に対応している。
突起１６ｂは、切り欠き１６ａの両端かつ手前側Ｙ１の部分から、左右内側に突出している。
【００１８】
露出穴１８は、端末保持箱３０の操作穴４８（後述する）を露出させる穴である。
露出穴１８は、右側Ｘ２の側板１４の下側Ｚ１かつ奥側Ｙ２のコーナ部に設けられている。
鼻避１９は、保持具１を利用者に装着した状態において、利用者の鼻を避けるための窪みである。鼻避１９は、下板１１の前辺部の中央に設けられている。
【００１９】
（レンズ枠２０）
レンズ枠２０は、レンズ２０ａを保持した部材である。
レンズ枠２０は、筒部１０の手前側Ｙ１の部分に取り付けられる。このため、レンズ２０ａも、筒部１０の手前側Ｙ１の部分に配置される。
レンズ２０ａは、フルネルレンズ等によって構成される。手前側Ｙ１から見たレンズ２０ａの外形は、左右方向Ｘに細長い長方形である。これにより、利用者は、レンズ２０ａを通して、両目で映像を観察できる。
後述するように、保持具１は、１つのレンズ２０ａを保持するレンズ枠２０（単レンズ枠）を、２つのレンズ１２０ａを備える双眼レンズ枠１２０へと交換できる。
【００２０】
レンズ枠２０を手前側Ｙ１から見た状態の形状を説明する。
レンズ枠２０の形状は、左右方向Ｘに細長いほぼ長方形である。
左右方向Ｘにおいて、レンズ枠２０の外形（長辺）の大きさは、筒部１０の内形の大きさよりも小さい。このため、レンズ枠２０及び筒部１０間は、隙間Ｓ２０（図１（Ａ）、図３参照）を有する。
【００２１】
レンズ枠２０は、突出部２６ａ、鼻避２９を備える。
突出部２６ａは、レンズ枠２０を筒部１０に取り付けるための部分である。
突出部２６ａは、下辺部２１、上辺部２２（一組の対向辺の各辺部）にそれぞれ設けられている。
下辺部２１の突出部２６ａの形状は、上辺部２２の突出部２６ａの形状と同様（鉛直方向Ｚにおいて対称）である。但し、下辺部２１の突出部２６ａは、鼻避２９によって、中央部で分断されている。
突出部２６ａは、下辺部２１、上辺部２２から鉛直方向外側に突出するように設けられる。
突出部２６ａは、筒部１０の切り欠き１６ａに挿抜可能である。これにより、レンズ枠２０は、筒部１０に対して着脱可能に装着される。
突出部２６ａの先端かつ左右両端部は、左右外側に突出する突起２６ｂを備える。
【００２２】
（端末保持箱３０）
端末保持箱３０は、奥板４０、下板４１（第１板部）、上板４２（第２板部）、左側Ｘ１の側板４３、右側Ｘ２の側板４４、２つのフラップ４５、操作穴４８、鼻避４９を備える。
端末保持箱３０は、奥板４０の４つの辺部から、下板４１、上板４２、側板４３，４４が手前側Ｙ１に立ち上がる箱状である。つまり、端末保持箱３０は、底板として奥板４０を有し、手前側Ｙ１が開口する箱体である。
下板４１、上板４２は、それぞれ筒部１０の下壁部、上壁部を形成する板部である。左側Ｘ１の側板４３と左側Ｘ１のフラップ４５、右側Ｘ２の側板４４と右側Ｘ２のフラップ４５は、それぞれ筒部１０の、左壁部、右壁部を形成する板部である。
フラップ４５は、上板４２の両端にそれぞれ接続されている。フラップ４５は、側板４３，４４の外面のうち上側Ｚ２の範囲を覆うように配置されている。
【００２３】
端末−レンズ間隔が最短の状態において、端末保持箱３０は、筒部１０に丁度収容される。つまり、端末保持箱３０の奥側Ｙ２先端と、筒部１０の奥側Ｙ２先端とが一致する。
また、端末保持箱３０を筒部１０から引き出すように操作することにより、端末−レンズ間隔を最短の状態よりも長くするように調整できる。
【００２４】
各板部間は、以下のように、ヒンジによって、回転可能に接続される。
下板４１は、奥板４０の下辺部にヒンジＨ４１によって接続されている。
上板４２は、奥板４０の上辺部にヒンジＨ４２によって接続されている。
側板４３，４４は、奥板４０の左右辺部にヒンジＨ４３，Ｈ４４によって接続されている。また、各側板４３，４４は、下板４１の左右辺部にヒンジＨ４３ａ，Ｈ４４ａによって接続されている。
また、側板４３，４４は、奥辺部及び下辺部がなす角の二等分線上に設けられたヒンジＨ４３ｂ，Ｈ４４ｂ（折部）を備える。このため、側板４３，４４は、ヒンジＨ４３ｂ，Ｈ４４ｂで折られて閉じた状態（図６（Ｃ）参照）、開いた状態（図２参照）の間で変形できる。
各フラップ４５は、上板４２の左右辺部に、ヒンジＨ４５によって接続されている。
【００２５】
奥板４０は、内側面には、吸着テープ４７（保持部）を備える。
吸着テープ４７は、超微細なマイクロ吸盤が複数設けられたものである。吸着テープ４７は、これらの吸盤の吸着力によって、端末５を保持する。
これにより、奥板４０は、内側面で、端末５を保持する。なお、利用者は、端末５を端末保持箱３０の手前側Ｙ１の開口から挿入後、端末５の背面を吸着テープ４７に押し付けることにより、端末５を吸着テープ４７に保持させることができる。
【００２６】
操作穴４８は、利用者が、保持具１の外側から、奥板４０の内側面に保持された端末５を操作するための穴である。利用者は、操作穴４８の外側から内側に指を通すことにより、端末５を操作できる。
【００２７】
操作穴４８の外形は、指の形状に対応した形状であり、つまり、半円状である。
また、操作穴４８の下端には、穴を拡大した穴拡大部４８ａを有する。
穴拡大部４８ａは、端末５に接続されたケーブル６を通す部分である。
【００２８】
操作穴４８は、端末５に接続されたケーブル６（ヘッドフォン用ケーブル等）を挿通しやすい位置に設けられている。つまり、操作穴４８は、端末５のケーブル接続端子の位置に対応した位置に設けられている。このため、端末５に接続されたケーブル６は、ストレスが少ない。
実施形態の操作穴４８の位置は、側板４４の奥側Ｙ２かつ下側Ｚ１のコーナである。操作穴４８の位置は、保持具１が対象とする端末５の種別に応じて、保持具１毎に適宜設計できる。
なお、利用者は、端末保持箱３０を筒部１０から引き出す場合にも、操作穴４８に指を挿入してもよい。
【００２９】
鼻避４９は、保持具１を利用者に装着した状態において、利用者の鼻を避けるための窪みである。鼻避４９は、下板４１の前辺部の中央に設けられている。
【００３０】
［組み立て状態の各部材の機能、使用方法］
（端末−レンズ間隔の調整）
端末保持箱３０の囲壁５０（下板４１、上板４２、側板４３，４４、フラップ４５）の形状について説明しながら、端末−レンズ間隔を調整する方法について説明する。
図３は、第１実施形態の保持具１を、上側Ｚ２（鉛直方向Ｚ）から見た断面図である。
図３（Ａ）は、端末−レンズ間隔が最短の状態であり、図１（Ａ）の３Ａ−３Ａ部を通るＸＹ平面で切断した断面図である。
図３（Ｂ）は、端末−レンズ間隔が最長の状態であり、図１（Ｂ）を図３（Ａ）と同様に切断した断面図である。
図４は、第１実施形態の保持具１を、手前側Ｙ１（奥行方向Ｙ）から見た断面図である。
図４（Ａ）は、図３（Ｂ）の４Ａ−４Ａ断面図である。
図４（Ｂ）は、図３（Ａ）の４Ｂ−４Ｂ断面図である。
【００３１】
図３に示すように、囲壁５０は、長壁部５１、短壁部５２を備える。
長壁部５１は、囲壁５０のうち奥行方向Ｙの長さが大きい部分である。長壁部５１は、フラップ４５、側板４３，４４、下板４１の左右外側の部分、上板４２の左右外側の部分によって形成される。
左右方向Ｘにおいて、長壁部５１の設置範囲は、レンズ枠２０及び筒部１０間の隙間Ｓ２０の範囲である。つまり、長壁部５１は、レンズ枠２０を逃げている。
【００３２】
長壁部５１の前辺部５１ａ（下板４１及び上板４２の手前側Ｙ１先端）の形状は、曲線状である。
図３（Ａ）に示すように、端末−レンズ間隔が最短の状態において、鉛直方向Ｚから見みると、前辺部５１ａの形状は、筒部１０の下板１１、上板１２の前辺部１１ａ、１２ａ（図２参照）の曲線形状に一致する。つまり、前辺部５１ａの形状は、筒部１０の下板１１、上板１２の前辺部１１ａ、１２ａに対応した形状である。
このため、利用者は、端末−レンズ間隔が最短の状態において映像を観察した場合に、長壁部５１が邪魔にならない。
【００３３】
また、端末−レンズ間隔が最短の状態において、長壁部５１の前辺部５１ａは、レンズ枠２０よりも手前側Ｙ１に位置する。
このため、端末−レンズ間隔を最長にした状態でも、筒部１０は、より大きい範囲（図３（Ｂ）の範囲Ｌ５１参照）で、端末保持箱３０を保持できる。また、保持具１は、筒部１０の移動ストローク量を大きくできるので、端末−レンズ間隔の調整範囲を大きくすることができる。
【００３４】
短壁部５２は、囲壁５０のうち奥行方向Ｙの長さが、長壁部５１よりも短い部分である。
短壁部５２は、下板４１の左右中央の部分、上板４２の左右中央の部分によって形成される。上側Ｚ２から見た状態で、両者の形状は、等しい（但し、下板４１は、鼻避４９を備える）。短壁部５２は、端末保持箱３０の開口縁部を、長方形状に奥側Ｙ２に切り欠くようにして形成される。
前述したように、長壁部５１がレンズ枠２０を逃げているので、端末保持箱３０を筒部１０に対して手前側Ｙ１に移動すると、短壁部５２の手前側Ｙ１先端と、レンズ枠２０とが当接する（図３（Ａ）参照）。このように当接した状態が、丁度、端末−レンズ間隔が最短の状態である。つまり、短壁部５２の手前側Ｙ１先端の位置は、端末−レンズ間隔が最短の状態において、レンズ枠２０に当接するように設定されている。このため、端末−レンズ間隔が最短の状態にするための操作が容易であり、また、端末保持箱３０のストッパの構成が簡単である。
【００３５】
図４（Ｂ）に示すように、手前側Ｙ１から見た状態で、端末保持箱３０の囲壁５０の外形の大きさと、筒部１０の内形の大きさとは、等しい（長さＬ５０Ｘ，Ｌ５０Ｙ参照）。このため、端末保持箱３０の囲壁５０の外周面と、筒部１０の内周面とが摺接することにより、端末保持箱３０は、筒部１０に対して、奥行方向Ｙに移動できる。これにより、端末−レンズ間隔が調整可能である。
この場合、利用者は、例えば、筒部１０を一方の手で持ちながら、他方の手で端末保持箱３０を持って奥行方向Ｙに移動すればよい（図１（Ｂ）参照）。
【００３６】
（レンズ枠２０の保持構造）
図１、図２、図４（Ａ）に示すように、レンズ枠２０は、上下の突出部２６ａが、それぞれ筒部１０の上下の切り欠き１６ａに挿入されることにより保持される。
鉛直方向Ｚにおいて、レンズ枠２０の左右辺部２３（短辺）の長さと、筒部１０の内形の長さとは、等しい（図４（Ａ）の長さＬ２３参照）。このため、レンズ枠２０は、筒部１０に対して、鉛直方向Ｚに移動しないように規制される。
左右方向Ｘにおいて、突出部２６ａの根元の長さと、筒部１０の切り欠き１６ａの長さとは、等しい（図４（Ａ）の長さＬ２６ａ参照）。このため、レンズ枠２０は、筒部１０に対して、左右方向Ｘに移動しないように規制される。
【００３７】
奥行方向Ｙにおいて、筒部１０の下側Ｚ１の突起１６ｂと、切り欠き１６ａの最深部とは、レンズ枠２０を挟み込む。これにより、レンズ枠２０の突出部２６ａは、切り欠き１６ａに収容された状態が維持され、かつ、手前側Ｙ１に移動しないように規制される。筒部１０の上側Ｚ２の突起１６ｂと、レンズ枠２０の上側Ｚ２の突出部２６ａも同様である。
【００３８】
このように、筒部１０は、レンズ枠２０を各方向に移動しないように、確実に保持できる。
【００３９】
また、保持具１は、上記保持構造によって、以下の作用、効果を奏する。
（１）図４（Ａ）に示すように、操作時等において、筒部１０に対して鉛直方向Ｚから力Ｆ１が加わった場合には、レンズ枠２０は、下板１１、上板１２を介して、この力を受け止める。これにより、筒部１０は、耐荷重を向上できる。
【００４０】
（２）図４（Ａ）に示すように、レンズ枠２０の上下の突出部２６ａは、筒部１０の下板１１、上板１２の切り欠き１６ａ（一組の対向する板部の切り欠き）に挿入されている。このため、レンズ枠２０は、筒部１０の下板１１及び上板１２を、互いに左右方向Ｘ（奥行方向Ｙに直交し、かつ、一組の対向する板部の平面に平行な方向）に移動しないように規制できる。
【００４１】
（３）図４（Ａ）に示すように、鉛直方向Ｚにおいて、レンズ枠２０の下側Ｚ１の突起２６ｂと、下辺部２１とは、筒部１０の下板１１を挟み込む。これにより、この突起２６ｂは、筒部１０の下板１１の下側Ｚ１への変形を抑制でき、かつ、突出部２６ａが下板１１の切り欠き１６ａから不意に抜けてしまうことを抑制できる。レンズ枠２０の上側Ｚ２の突出部２６ａと、筒部１０の上板１２についても、同様である。
【００４２】
（端末保持箱３０の強度）
図４（Ｂ）に示すように、端末保持箱３０の上板４２の左右辺部近傍と、側板４３，４４の上端部とは、当接する。このため、操作時等において、端末保持箱３０の下板４１、上板４２に対して鉛直方向Ｚから力Ｆ２が加わった場合には、側板４３，４４は、この力Ｆ２を受け止める。
これにより、端末保持箱３０は、耐荷重を向上できる。また、端末保持箱３０の耐荷重が向上できることにともない、筒部１０の耐荷重も向上できる。
【００４３】
さらに、この場合、以下の作用、機能を奏する。
（１）端末保持箱３０の左右のフラップ４５は、側板４３，４４の外面を覆う。また、左右方向Ｘにおいて、２つのフラップ４５間の長さと、筒部１０の内形の長さとは、等しい（図４（Ｂ）の長さＬ５０Ｘ参照）。
このため、左右のフラップ４５は、それぞれ、端末保持箱３０の側板４３，４４と、筒部１０の側板４３，４４と、筒部１０の側板１３，１４との間に、挟まれている。そのため、左右のフラップ４５は、側板４３，４４を覆った状態を維持できる。
そのため、側板４３，４４は、外側に開いてしまうことが抑制される。また、上板１２は、常に、側板４３，４４の上端部に当接した状態を維持できるので、陥没しない。
これにより、端末保持箱３０は、耐荷重に関する性能が安定する。
【００４４】
（２）力Ｆ２に対する耐荷重の性能が高い範囲は、端末保持箱３０の下板４１、上板４２のうち左右両側の範囲である。この範囲は、利用者が保持具１を使用する場合に、手で保持する部分であるので、以下の例のように、鉛直方向Ｚから力が加わりやすい。
端末−レンズ間隔が小さい状態、つまり、端末保持箱３０の筒部１０からの突出量が小さい状態では、利用者は、筒部１０の下板１１、上板１２のうち左右両側の範囲を、手で保持する（図１（Ａ）に左手のみを図示した）。この場合には、手からの力Ｆ２は、筒部１０の下板１１、上板１２を介して、端末保持箱３０の下板４１、上板４２のうち左右両側に伝わる。
また、例えば、端末−レンズ間隔が大きい状態、つまり、端末保持箱３０の筒部１０からの突出量が大きい状態では、利用者は、端末保持箱３０の下板４１、上板４２のうち左右両側の範囲（又は左右のうち一方の範囲）を、手で直接保持してもよい。この場合には、手からの力は、この範囲に直接伝わる。
このように、保持具１は、使用時に力が加わりやすい範囲の耐荷重を向上できるので、耐久性（製品寿命）を効率よく向上できる。
【００４５】
（３）側板４３，４４のヒンジＨ４３ｂ，Ｈ４４ｂ（押罫等）は、側板４３，４４が外側に変形しやすく、かつ、側板４３，４４が内側に変形しにくい構造である。つまり、ヒンジＨ４３ｂ，Ｈ４４ｂは、このような変形になるように、形状（押罫の溝の加工面、幅等）が設定されている。これは、後述するように、端末保持箱３０を箱状態から平板状態に変形しやくするためである。
このため、端末保持箱３０の下板４１、上板４２に対して鉛直方向Ｚから力が加わった場合でも、側板４３，４４は、内側に変形しにくい。これにより、耐荷重に関する性能が安定する。
【００４６】
（操作穴４８の機能）
図１（Ａ）に示すように、端末−レンズ間隔が最短の状態において、保持具１を右側Ｘ２から見ると、端末保持箱３０の操作穴４８の形状と、筒部１０の露出穴１８の形状とは、等しい。このため、端末保持箱３０の操作穴４８は、筒部１０の露出穴１８から露出している。これにより、筒部１０が端末保持箱３０を覆う形状でも、利用者は、端末５を操作できる。
なお、筒部１０の露出穴１８の形状は、端末保持箱３０の操作穴４８の形状よりも一回り大きくてもよい。また、例えば、露出穴１８の形状を操作穴４８の形状よりも小さくしても、利用者が指を通して端末５を操作できる程度、操作穴４８が露出すればよい。
【００４７】
図１（Ｂ）に示すように、端末−レンズ間隔を、最短の状態から長くすると、端末保持箱３０は、筒部１０に対して奥側Ｙ２に移動する。このため、端末保持箱３０の奥側Ｙ２に配置された操作穴４８は、筒部１０によって覆われることがない。このため、利用者は、端末５を操作できる。
なお、ケーブル６は、操作部の穴拡大部４８ａに通されている。このため、利用者が端末５を操作する場合に、ケーブル６が邪魔になることがない。
【００４８】
［保持具１の形態の変形］
（組み立て状態及び分解状態間の変形）
利用者は、組み立て状態の保持具１を、以下の工程に従って、分解状態に分解できる。なお、手順は、適宜、変更してもよい。
（１）レンズ枠２０、筒部１０を撓ませながら、レンズ枠２０の突出部２６ａを、筒部１０の切り欠き１６ａから抜く。これにより、レンズ枠２０、筒部１０が分離する。
（２）端末保持箱３０を筒部１０に対して奥行方向Ｙ（手前側Ｙ１又は奥側Ｙ２）に移動することにより、端末保持箱３０を筒部１０から完全に引き出す。これにより、端末保持箱３０、筒部１０が分離する。
以上により、保持具１は、３つの部品に分離し、つまり、分解状態に変形する。端末５は、粘着テープから分離することにより、取り外すことができる。
なお、保持具１を分解状態から組み立て状態に変形する場合には、上記とは逆の内容の作業を行えばよい。
【００４９】
（分解状態での変形）
図５は、第１実施形態の筒部１０の形態が変形する態様を説明する斜視図である。
図６は、第１実施形態の端末保持箱３０の形態が変形する態様を説明する斜視図である。
（筒部１０の変形）
分解状態の筒部１０は、図２の筒状態（立体的な筒状の状態）及び図５（Ｂ）の平板状態（平らな平板状の状態）の間で変形する。
図２に示すように、筒状態では、隣合う板部間がヒンジＨ１３ａ，Ｈ１３ｂ，Ｈ１４ａ，Ｈ１４ｂ回りに、９０°開いた状態である。
図５（Ａ）に示すように、筒状態から平板状態に変形する場合には、隣合う板部間をヒンジＨ１３ａ，Ｈ１３ｂ，Ｈ１４ａ，Ｈ１４ｂ回りに回転することにより、隣合う板部間を、１８０°開き、又は閉じる。
図５（Ｂ）に示すように、これにより、筒部１０は、上板１２及び下板１１が密着するので、平板状に変形する。
なお、筒部１０を平板状態から筒状態に変形する場合には、上記とは逆の内容の作業を行えばよい。
【００５０】
（端末保持箱３０の変形）
分解状態の端末保持箱３０は、図２の箱状態（立体的な箱状態の状態）及び図６（Ｃ）の平板状態（平らな平板状の状態）の間で変形する。
図２に示すように、箱状態では、隣合う板部間がヒンジＨ４１〜Ｈ４５，Ｈ４３ａ，Ｈ４４ａ回りに、９０°開いた状態である。
また、側板４３は、ヒンジＨ４３ｂで接続された三角形状の部分が、１８０°開いた状態である。側板４４も同様である。
筒状態から平板状態に変形する場合には、以下の工程に従う。なお、手順は、適宜、変更してもよい。
【００５１】
（１）図６（Ａ）に示すように、フラップ４５及び上板４２を、ヒンジＨ４５回りに１８０°開く。
（２）上板４２及び奥板４０を、ヒンジＨ４２回りに１８０°開く。
（３）図６（Ｂ）に示すように、下板４１及び奥板４０をヒンジＨ４１回りに閉じる。これに応じて、側板４３，４４は、外側に開きながら、ヒンジＨ４３ｂ，Ｈ４４ｂ回りに閉じる。図６（Ｃ）に示すように、これにより、下板４１及び奥板４０は、折られて閉じる。また、側板４３，４４は、それぞれヒンジＨ４３ｂ，Ｈ４４ｂで折られて閉じる。
以上により、端末保持箱３０は、平板状態に変形する。
なお、図６（Ｃ）の状態から、上板４２及び奥板４０を、ヒンジＨ４２回りに閉じてもよい。この場合には、平板状態の端末保持箱３０の外形を、小さくすることができる。
端末保持箱３０を平板状態から箱状態に変形する場合には、上記とは逆の内容の作業を行えばよい。
【００５２】
このように、分解状態の筒部１０、端末保持箱３０は、それぞれ平板状態に変形できる。また、レンズ枠２０は、平板状の部材である。このため、分解状態の保持具１は、コンパクトである。これにより、保管、流通時等の取り扱いが容易である。
【００５３】
なお、保持具１は、通常は、分解状態、かつ、筒部１０、端末保持箱３０をそれぞれ平板状態にした状態で、市場で流通する。
利用者は、保持具１を入手後、保持具１を使用する場合に、上記手順とは逆の内容の作業を行うことにより、保持具１を組み立てればよい。この場合、保持具１の筒部１０、端末保持箱３０の変形作業は、複雑な作業がないので、容易である。また、作業内容は、各板部を立体的に変形するように各ヒンジ回りにさせればよいので、説明書等を参照しなくても理解可能な程度に易しい。
さらに、利用者は、各部材の形状を見れば、各部材の組み合わせ方を、一目瞭然で理解できる。例えば、筒部１０の切り欠き１６ａ、レンズ枠２０の突出部２６ａ等を見れば、レンズ枠２０の筒部１０への取り付け方を理解できる。また、端末保持箱３０の外形は、筒部１０の外形よりも一回り小さいので、端末保持箱３０は、利用者は、筒部１０の内部に収容するものであることが理解できる。また、各部材には、鼻避１９，２９，４９等を参照すれば、各部材の取り付け方向も理解できる。
【００５４】
このように、保持具１の組み立ては、容易である。
また、利用者は、保持具１を保管等する場合には、保持具１を分解後、さらに筒部１０、端末保持箱３０をそれぞれ平板状態に変形させればよい。この作業も、上記説明の通り、容易である。
このように、保持具１は、取り扱いが容易である。
【００５５】
［保持具１を作製するための部品］
図７は、第１実施形態の保持具１を作製するための部品の一例を説明する図である。
図７（Ａ）に示すように、筒部１０は、１枚の板材７１によって、作製できる。
板材７１は、接続片７１ａ、下板１１、側板１３，１４、上板１２、側板１３，１４が、図７（Ａ）の左側から右側に向けて、各ヒンジで接続されている。
筒部１０を作製する場合には、下板１１、側板１３，１４、上板１２、側板１３，１４をヒンジＨ１３ｂ，Ｈ１４ａ，Ｈ１４ｂ回りに回転し、また、接続片７１ａをヒンジＨ１３ａ，回りに回転後に、接続片、側板１３，１４を両面テープ等で接着すればよい（矢印Ａ７１参照）。
【００５６】
図７（Ｂ）に示すように、レンズ枠２０は、１枚の板材７２と、レンズ２０ａによって作製できる。
板材７２は、表板７２ａ、裏板７２ｂが、折部７２ｃで接続されている。
レンズ枠２０を作製する場合には、表板７２ａ、裏板７２ｂ間にレンズ２０ａを挟み込むようにして、折部７２ｃで折った後に（矢印Ａ７２参照）、表板７２ａ、裏板７２ｂを両面テープ等で接着すればよい。これにより、レンズ枠２０は、レンズ２０ａを保持できる。
【００５７】
図７（Ｃ）に示すように、端末保持箱３０は、１枚の板材７３によって作製できる。
端末保持箱３０は、下板４１、奥板４０、上板４２が、図７（Ｃ）の下側から上側に向けて、ヒンジＨ４１，Ｈ４２で接続されている。
下板４１の左右辺部には、側板４３，４４が、それぞれヒンジＨ４３ａ，Ｈ４４ａによって接続されている。
奥板４０の左右辺部には、２つの接続片７３ａ，７３ｂが、それぞれヒンジＨ４３，Ｈ４４によって接続されている。
上板４２の左右辺部には、２つのフラップ４５が、それぞれヒンジＨ４５によって接続されている。
端末保持箱３０を作製する場合には、接続片７３ａ，７３ｂをそれぞれヒンジＨ４３，Ｈ４４回りに９０°回転し（矢印Ａ７２ａ参照）、下板４１及び側板４３，４４をヒンジＨ４３ａ，Ｈ４４ａ回りに９０°回転し（矢印Ａ７２ｂ参照）、奥板４０及び下板４１をヒンジＨ４１回りに９０°回転する（矢印Ａ７２ｃ参照）。その後、側板４３，４４と、接続片７３ａ，７３ｂとを両面テープ等で接着すればよい。
【００５８】
このように、保持具１は、部品点数が少なく、また、製造工程の作業が容易である。これにより、保持具１は、低コストで製造できる。
【００５９】
［双眼レンズ枠１２０］
図８は、第１実施形態の双眼レンズ枠１２０を説明する図である。
図８（Ａ）は、双眼レンズ枠１２０の斜視図である。
図８（Ｂ）は、双眼レンズ枠１２０を作製するための部品の一例を説明する図である。
なお、双眼レンズ枠１２０の説明及び図面において、前述したレンズ枠２０と同様の機能を果たす部分には、同一の符号又は末尾（下２桁）に同一の符号を適宜付して、重複する説明を適宜省略する。
図８（Ａ）に示すように、双眼レンズ枠１２０は、２つのレンズ２０ａを保持した部材である。
レンズ２０ａは、例えば、凸レンズである。２つのレンズ２０ａは、左右方向Ｘに並べて配置されている。２つのレンズ２０ａは、それぞれ左眼観察用、右眼観察用である。
【００６０】
双眼レンズ枠１２０、レンズ枠２０の構成のうちレンズ以外の構成は、同様である。
つまり、双眼レンズ枠１２０の外形と、レンズ枠２０の外形とは、同様である。
また、双眼レンズ枠１２０は、レンズ枠２０と同様に、突出部２６ａ，突起２６ｂを備える。
このため、保持具１は、レンズ枠２０、双眼レンズ枠１２０を交換可能の装着できる。
【００６１】
保持具１を提供するメーカ等は、筒部１０、レンズ枠２０、端末保持箱３０に、双眼レンズ枠１２０を加えた保持具セットとして、販売してもよい。この場合には、利用者は、単眼用の映像、双眼用の映像に応じて、レンズ枠２０、双眼レンズ枠１２０を、筒部１０に装着できる。
【００６２】
図８（Ｂ）に示すように、双眼レンズ枠１２０を作製する場合には、板材１７２の表板１７２ａ、裏板１７２ｂ間に、２つのレンズ１２０ａを挟み込むようにして、折部１７２ｃで折った後に（矢印Ａ１７２参照）、表板１７２ａ、裏板１７２ｂを両面テープ等で接着すればよい。これにより、双眼レンズ枠１２０は、２つのレンズ１２０ａを保持できる。
【００６３】
以上説明したように、本実施形態の保持具１は、強度が向上でき、組み立てが容易であり、端末５の操作が容易であり、また、双眼、単眼用の映像を観察できる。このため、保持具１は、使い勝手がよい。
【００６４】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図９は、第２実施形態の保持具２０１を説明する図である。
図９（Ａ）は、上側Ｚ２から見た図である。
図９（Ｂ）は、右側Ｘ２から見た図である。
【００６５】
保持具２０１の形状は、第１実施形態と同様である。保持具２０１は、第１実施形態の保持具１に目盛８１，８２を追加した。目盛８１，８２は、印刷等により設ける。
目盛８１は、端末保持箱３０の上板４２、フラップ４５に設けられている。上板４２の目盛８１は、左右方向Ｘに平行であり、また、上板４２の目盛８１は、鉛直方向Ｚに平行である。
実施形態の目盛８１は、４本の直線であるが、本数は、適宜設定できる。
また、上板４２は、目盛８１に対応した表記８１ａ（数字１〜５）を備える。
【００６６】
利用者は、目盛８１及び表記８１ａと、筒部１０の上板１２の奥辺部とを比較することによって、端末−レンズ間隔を確認できる。
利用者は、保持具２０１を利用する場合には、１度自分の視力に合った端末−レンズ間隔に調整した後、この目盛８１、表記８１ａによって、その端末−レンズ間隔を覚えておけばよい。これにより、利用者は、保持具２０１を使用する毎に、映像を見ながら端末−レンズ間隔を調整する手間を省くことができる。
【００６７】
目盛８２は、右側Ｘ２の側板４４に設けられている。
目盛８２は、操作穴４８の外形と同じ半円状である。
また、側板４４は、目盛８２に対応した表記８２ａ（数字１〜５）を備える。
利用者は、目盛８２及び表記８２ａと、露出穴１８の外形とを比較することによっても、端末−レンズ間隔を確認できる。また、目盛８２及び表記８２ａは、操作穴４８の近傍に設けられているので、利用者は、端末を操作する場合に、端末−レンズ間隔を一緒に確認できる。
【００６８】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００６９】
（変形形態）
（１）実施形態において、筒部の断面形状は、長方形の枠状である例を示したが、これに限定されない。例えば、筒部の断面形状は、長方形以外の多角形でもよい。
【００７０】
（２）実施形態において、筒部の装着部は、切り欠きを備える例を示したが、これに限定されない。筒部の装着部は、切り欠きの代わりに、穴を備えていてもよい。この場合でも、単レンズ枠、双眼レンズ枠の突出部をこの穴に挿抜することにより、単レンズ枠、双眼レンズ枠は、筒部に交換可能に装着できる。
【００７１】
（３）実施形態において、端末保持箱のフラップは、上板に設けられた例を示したが、これに限定されない。端末保持箱は、鉛直方向において、適宜対称形状にすることにより、フラップを、上板（第１板部）ではなく下板（第２板部）に設けてもよい。
【００７２】
（４）実施形態において、保持具は、ＶＲを体験するものである例を示したが、端末の映像を観察するために使用するものであれば、用途は限定されない。保持具は、例えば、オーグメンテッドリアリティ（ＡＲ）等を体験するために用いてもよい。この場合には、端末保持箱の奥板のうち、端末のカメラレンズに対応した位置に、穴を開けておけばよい。
【符号の説明】
【００７３】
１，２０１…保持具    ５…端末    １０…筒部    １１…下板    １１ａ…前辺部    １２…上板    １２ａ…前辺部    １３，１４…側板    １６ａ…切り欠き    １８…露出穴    ２０…レンズ枠    ２０ａ，１２０ａ…レンズ    ２６ａ…突出部    ３０…端末保持箱    ４０…奥板    ４１…下板    ４２…上板    ４３，４４…側板    ４５…フラップ    ４７…吸着テープ    ４８…操作穴    ４８ａ…穴拡大部    ４９…鼻避    ５０…囲壁    ５１…長壁部    ５１ａ…前辺部    ５２…短壁部    ８１…目盛    ８１ａ…表記    ８２…目盛    ８２ａ…表記    １２０…双眼レンズ枠    
【図１】
2017195474.tif 000003
【図２】
2017195474.tif 000004
【図３】
2017195474.tif 000005
【図４】
2017195474.tif 000006
【図５】
2017195474.tif 000007
【図６】
2017195474.tif 000008
【図７】
2017195474.tif 000009
【図８】
2017195474.tif 000010
【図９】
2017195474.tif 000011